(57)【要約】  ガイドレールは、筐体（６）内を複数に仕切る仕切板（４）の上面に取り付けられるレールガイドと、機能ユニット（１０）の側面板（１）の底部に設けられ、機能ユニット（１０）を仕切板（４）上で前後にスライドさせる為のスライドレール（２）とを備える。上記レールガイドは、仕切板（４）の左右の各辺に対しそれぞれ複数個の円盤金具（３）を有して、機能ユニット（１０）がスライドされる際に円盤金具（３）がスライドレール（２）と係合してスライドレール（２）の左右方向および上方向のストッパとなる。
2018078739.tif 000002
【特許請求の範囲】
【請求項１】
筐体内を複数の機能ユニット室に仕切る仕切板の上面に取り付けられるレールガイドと、機能ユニットの側面板の底部に設けられ、該機能ユニットを上記仕切板上で上記筐体内の前後にスライドさせる為のスライドレールとを備え、
上記レールガイドは、上記仕切板の左右の各辺に対しそれぞれ複数個の釦状金具を有して、上記機能ユニットがスライドされる際に上記釦状金具が上記スライドレールと係合して該スライドレールの左右方向および上方向のストッパとなる、
ガイドレール。
【請求項２】
上記スライドレールは上記側面板の底部を曲げ加工して成るものである、
請求項１に記載のガイドレール。
【請求項３】
上記レールガイドの上記釦状金具は、下段部の径が上段部の径より小さい２段構成であり、該下段部の高さは上記スライドレールの厚みより大きく、上記下段部が上記スライドレールの左右方向のストッパとなり、上記上段部が上記スライドレールの上方向のストッパとなる、
請求項１または請求項２に記載のガイドレール。
【請求項４】
上記機能ユニットの底面板の奥側中央部の裏面に設けられ、長辺がスライド方向と平行である矩形のスライド片を備え、上記レールガイドは、上記仕切板の上面で上記スライド片を挟む位置にガイド片を備え、上記ガイド片は上記スライド片の左右方向のストッパとなる、
請求項１から請求項３のいずれか１項に記載のガイドレール。
【請求項５】
上記スライド片は、上記機能ユニットの上記底面板の一部を切開して折り曲げ形成したものであり、上記ガイド片は、上記釦状金具と同じ金具で構成される、
請求項４に記載のガイドレール。
【請求項６】
請求項１から請求項５のいずれか１項に記載のガイドレールと、上記筐体と、上記仕切板と、上記機能ユニットとを備え、上記機能ユニットが上記仕切板上で上記筐体内の前後にスライドされて上記筐体内の上記機能ユニット室に着脱される、
コントロールセンタ。
【発明の詳細な説明】
【技術分野】
【０００１】
この発明は、複数の機能ユニットを収納する配電盤などのコントロールセンタに関し、特に、機能ユニットを筐体の機能ユニット室に着脱する為のガイドレールに関するものである。
【背景技術】
【０００２】
一般的に、電力設備あるいはプラント設備等で使用される配電盤などのコントロールセンタでは、複数の機能ユニットを収納しており、仕切板で各機能ユニットをコンパートメント化するとともに、それぞれの機能ユニットを着脱および保持する構造となっている。
従来のコントロールセンタでは、機能ユニット室に位置するフレーム筐体の両側部にそれぞれガイドレール部材が取り付けられる。またガイド片が機能ユニットに取り付けられ、ガイドレール部材に係合されガイドレール部材にガイドされて機能ユニットを着脱および保持する。ガイドレール部材は例えば仕切り板の下方側近傍に配置され、ガイド片は機能ユニットの上方側に配置されて、機能ユニットは吊り下げられた状態で着脱および保持される（例えば、特許文献１参照）。
【先行技術文献】
【特許文献】
【０００３】
【特許文献１】特開２０１１−２１１７８２号公報
【発明の概要】
【発明が解決しようとする課題】
【０００４】
上記特許文献１に記載される従来のコントロールセンタでは、機能ユニットの両側面上部に設けられたガイド片が、筐体側ガイドレールの溝状部に係合し、機能ユニットは吊り下げられた状態で着脱及び保持されて、機能ユニットの左右振れが抑制される。
しかしながら、ガイド片をガイドレールの上に乗せて溝状部に係合するため、機能ユニットの上方向の浮き上がりが抑制できず、特に、機能ユニットの接触子を筐体側の母線に接続させる際に機能ユニットが浮き上がる。このため、機能ユニットを筐体へ信頼性良く着脱できないという問題点があった。
また、機能ユニットの底部が平面でない場合は、機能ユニットを筐体から取り出して外部に水平に置く際に、スペーサを要するものであった。【０００５】
この発明は、上記のような問題点を解消するために成されたものであって、機能ユニットの左右方向および上下方向の振れを抑制して該機能ユニットを筐体へ信頼性良く着脱できると共に、筐体外で機能ユニットをスペーサを要すること無く水平に載置可能にするガイドレールの構造を提供することを目的とする。
さらに、該ガイドレールに好適なコントロールセンタの構造を提供することを目的とする。
【課題を解決するための手段】
【０００６】
この発明に係るガイドレールは、筐体内を複数の機能ユニット室に仕切る仕切板の上面に取り付けられるレールガイドと、機能ユニットの側面板の底部に設けられ、該機能ユニットを上記仕切板上で上記筐体内の前後にスライドさせる為のスライドレールとを備え、上記レールガイドは、上記仕切板の左右の各辺に対しそれぞれ複数個の釦状金具を有して、上記機能ユニットがスライドされる際に上記釦状金具が上記スライドレールと係合して該スライドレールの左右方向および上方向のストッパとなるものである。【０００７】
また、この発明に係るコントロールセンタは、上記ガイドレールと、上記筐体と、上記仕切板と、上記機能ユニットとを備え、上記機能ユニットが上記仕切板上で上記筐体内の前後にスライドされて上記筐体内の上記機能ユニット室に着脱されるものである。
【発明の効果】
【０００８】
この発明に係るガイドレールによれば、機能ユニットを仕切板上で筐体内の前後にスライドさせる際に、上記レールガイドと上記スライドレールとにより、機能ユニットの左右方向および上下方向の振れを抑制して該機能ユニットを筐体へ信頼性良く着脱できる。また、上記スライドレールが機能ユニットの側面板の底部に設けられるため、筐体外で機能ユニットをスペーサを要すること無く水平に載置できる。【０００９】
また、この発明に係るコントロールセンタによれば、上記ガイドレールを備えるため、機能ユニットを筐体へ信頼性良く着脱できコントロールセンタの信頼性が向上する。また、筐体外で機能ユニットをスペーサを要すること無く水平に載置でき利便性も向上する。
【図面の簡単な説明】
【００１０】
【図１】この発明の実施の形態１による機能ユニットおよびその側面板を示す斜視図である。
【図２】この発明の実施の形態１による円盤金具を示す図である。
【図３】この発明の実施の形態１による仕切板を示す斜視図である。
【図４】この発明の実施の形態１による仕切板が筐体に取り付けられた配電盤の斜視図である。
【図５】この発明の実施の形態１による機能ユニットを仕切板上をスライドさせる説明の為の斜視図である。
【図６】この発明の実施の形態１によるスライドレールと円盤金具との係合を説明する正面図である。
【図７】この発明の実施の形態１による機能ユニットのフロントパネルおよび側面板を示す斜視図である。
【図８】この発明の実施の形態１による機能ユニットのフロントパネルおよび側面板を示す底面図である。
【図９】この発明の実施の形態１の別例による機能ユニットの側面板を示す斜視図である。
【図１０】この発明の実施の形態２による機能ユニットの底面板および側面板を示す斜視図である。
【図１１】この発明の実施の形態２による仕切板を示す斜視図である。
【図１２】この発明の実施の形態２によるスライドレールおよびスライド片と円盤金具との係合を説明する正面図である。
【図１３】この発明の実施の形態２による機能ユニットの底面板および側面板を仕切板上に配置した上面図である。
【発明を実施するための形態】
【００１１】
実施の形態１．
以下、この発明の実施の形態１によるコントロールセンタとしての配電盤について説明する。配電盤は、複数の機能ユニットを筐体内に収納しており、仕切板で各機能ユニットをコンパートメント化するとともに、それぞれの機能ユニットを着脱および保持する構造となっている。
図１〜図８は、この発明の実施の形態１による配電盤を示すものである。図１は機能ユニット１０およびその側面板１を示す斜視図、図２は釦状金具としての円盤金具３を示す図、図３は仕切板４を示す斜視図、図４は仕切板４が筐体６に取り付けられた配電盤の斜視図である。また、図５は機能ユニット１０を仕切板４上をスライドさせる説明の為の斜視図、図６はスライドレール２と円盤金具３との係合を説明する正面図、図７は機能ユニット１０のフロントパネル７および側面板１を示す斜視図、図８は機能ユニット１０のフロントパネル７および側面板１を示す底面図である。
【００１２】
図１に示すように、機能ユニット１０の側面板１は、底部がＬ字型に曲げ加工されてスライドレール２が設けられる。スライドレール２には、手前側に左右方向の凸部Ａを、奥側に上方向の凸部Ｂを設ける。凸部Ａ、Ｂは、機能ユニット１０を筐体６に挿入する際、ストッパとして機能して機能ユニット１０を奥にスライドさせ過ぎるのを防止する。また、機能ユニット１０は負荷母線との接触子であるグリップを側面に接続する。このため、機能ユニット１０の右側の側面板１の長さを短くして、グリップ接続の為のスペースを機能ユニット１０の右奥側に確保している。
【００１３】
図２（ａ）は円盤金具３の正面図、図２（ｂ）は円盤金具３の斜視図である。図２に示すように、円盤金具３は、上段部３ａと下段部３ｂとの２段構成であり、下段部３ｂの径が上段部３ａの径より小さく、下段部３ｂの高さＨはスライドレール２の厚みより若干大きく形成される。そして、図３に示すように、仕切板４の左右の各辺に対しそれぞれ複数個（この場合２個）の円盤金具３が、仕切板４の上面に取り付けられている。円盤金具３の中心には取付用の穴が開けられ、円盤金具３は、仕切板４にボルト５で取り付けられる。
【００１４】
この実施の形態によるガイドレールは、仕切板４上に取り付けられた複数の円盤金具３により構成されるレールガイドとスライドレール２とを備えて構成される。そして、レールガイド（円盤金具３）が取り付けられた仕切板４は、図４に示すように筐体６の内部に取り付けられる。図４は、仕切板４で区切られたスペースである機能ユニット室に機能ユニット１０が挿入される前の状態である。
【００１５】
機能ユニット１０を筐体６内に挿入するには、図５に示すように、機能ユニット１０を仕切板４上に乗せて矢印の方向である奥側にスライドさせ、筐体６内の機能ユニット室に機能ユニット１０を挿入する。また、機能ユニット１０を筐体６から引き出すには、機能ユニット１０を仕切板４上で手前方向にスライドさせる。
図６は、図５のＸ−Ｘ矢視による正面図である。なお、図５、図６では、側面板１に挟まれる内側の機能ユニット１０の図示および後述するフロントパネル７の図示は省略している。
図６に示すように、スライドレール２の端部が、円盤金具３の上段部３ａの外周部と仕切板４とに挟まれるような寸法および位置に、スライドレール２および円盤金具３が形成されている。なお、仕切板４の左右の各辺に配置される複数の円盤金具３の内、一番手前の円盤金具３は、機能ユニット１０の挿入完了時におけるスライドレール２の凸部Ａの位置に合わせて配置される。
【００１６】
そして、機能ユニット１０がスライドされる際、スライドレール２の端部が、円盤金具３の上段部３ａの外周部と仕切板４とに挟まれた領域をスライドする。即ち、スライドレール２は、レールガイド（円盤金具３）と係合して、スライドレール２の左右方向および上下方向の振れが抑制される。この時、円盤金具３の下段部３ｂがスライドレール２の左右方向のストッパとなり、円盤金具３の上段部３ａがスライドレール２の上方向のストッパとなる。なお、スライドレール２は仕切板４上をスライドされる為、下方向の振れは仕切板４で阻止される。
機能ユニット１０の挿入が完了すると、スライドレール２の手前側の凸部Ａが円盤金具３の下段部３ｂに当たってスライドが終了し、定位置で機能ユニット１０を筐体６に収納することができる。
【００１７】
また、図７、図８に示すように、機能ユニット１０にはフロントパネル７が設けられ、上述した機能ユニット１０の筐体６への挿抜は、フロントパネル７に設けられる把手７ａを用いて行う。
左右のスライドレール２の底面とフロントパネル７の底面とは、同一平面となるように形成され、機能ユニット１０の筐体６への挿抜時に、スライドレール２の底面とフロントパネル７の底面とが仕切板４表面に接して仕切板４上をスライドする。また、機能ユニット１０を筐体６から取り出して外部に置く際、スライドレール２の底面およびフロントパネル７の底面で機能ユニット１０を支持することができ、スペーサを要すること無く水平に載置できる。
【００１８】
なお、フロントパネル７は、底部がスライドレール２に到達しない高さに形成しても良く、機能ユニット１０を筐体６から取り出して外部に置く際、左右のスライドレール２の底面で機能ユニット１０を支持することができる。
【００１９】
以上のように、この実施の形態では、機能ユニット１０を仕切板４上で筐体６内の前後にスライドさせる為のガイドレールを、側面板１の底部に設けたスライドレール２と、仕切板４上に取り付けられた複数個の円盤金具３から成るレールガイドとから構成する。レールガイドは、仕切板４の左右の各辺に対しそれぞれ複数個の円盤金具３を有し、機能ユニット１０がスライドされる際にスライドレール２と係合してスライドレール２の左右方向および上方向のストッパとなる。
【００２０】
このため、機能ユニット１０を仕切板４上で筐体６内の前後にスライドさせる際に、機能ユニット１０の左右方向および上下方向の振れを抑制すると共に、機能ユニット１０にグリップを接続する際に機能ユニット１０が浮き上がるのを防止して、機能ユニット１０を筐体６へ信頼性良く着脱および保持する。これにより、配電盤の信頼性も向上する。
また、スライドレール２が機能ユニット１０の側面板の底部に設けられるため、筐体外で機能ユニットをスペーサを要すること無く水平に安定して載置でき、利便性が向上する。
さらに、小型の円盤金具３を仕切板４に取り付けることでレールガイドを形成する為、ガイドレールを安価で容易に形成できる。
【００２１】
また、スライドレール２は側面板１の底部を曲げ加工して成るため、ガイドレールの形成がさらに安価で容易になる。
【００２２】
また、レールガイドの円盤金具３は、下段部３ｂの径が上段部３ａの径より小さい２段構成であり、下段部３ｂの高さはスライドレール２の厚みより大きく、下段部３ｂがスライドレールの左右方向のストッパとなり、上段部３ａがスライドレール２の上方向のストッパとなる。このため、スライドレール２と係合してスライドレール２の左右方向および上方向のストッパとなるレールガイドを容易で確実に得ることができる。
【００２３】
なお、レールガイドの円盤金具３は、円盤以外、例えば多角形等の釦状金具でも良く、同様の効果を奏する。
【００２４】
上記実施の形態では、機能ユニット１０の右側の側面板１の長さを短くしたものを示したが、左右の側面板１の長さが等しい場合にも適用でき、同様の効果が得られる。
【００２５】
また、図９に示すように、長さが等しい左右の側面板１を、手前側と奥側とでそれぞれ結合させたものを用いても良く、同様の効果が得られる。
図９に示すように、左右の側面板１のスライドレール２は、手前側に結合部２Ａを備え、奥側に結合部２Ｂを備えて結合されている。奥側の結合部２Ｂは、スライドレール２に対し垂直に形成される。この場合、結合部２Ａ、２Ｂが、機能ユニット１０を筐体６に挿入する際、ストッパとして機能して機能ユニット１０を奥にスライドさせ過ぎるのを防止する。  
【００２６】
実施の形態２．
次に、この発明の実施の形態２によるコントロールセンタとしての配電盤およびガイドレールについて図１０〜図１３に基づいて説明する。
配電盤の機能ユニット１０では、通常、ブレーカや電磁開閉器等複数の機器を取り付けるための底面板を有している。この実施の形態２では、ガイドレールは、上記実施の形態１と同様のスライドレール２と複数の円盤金具３を備え、さらに、機能ユニット１０の底面板に設けたスライド片と、スライド片に係合するガイド片を備える。配電盤におけるその他の構造は上記実施の形態１と同様である。
図１０は機能ユニット１０の底面板８および側面板１を示す斜視図、図１１は仕切板４を示す斜視図、図１２はスライドレール２およびスライド片９とレールガイドとしての円盤金具３、１３との係合を説明する正面図、図１３は機能ユニット１０の底面板８および側面板１を仕切板４上に配置した上面図である。
【００２７】
図１０に示すように、機能ユニット１０の底面板８の奥側中央部を長方形状に３辺を切開して切り抜き、底面と垂直になるように折り曲げることにより、長辺が機能ユニット１０のスライド方向と平行である矩形のスライド片９が底面板８の裏面に形成される。同時に底面板８には開口１１が形成される。また、底面板８は、機能ユニット１０にグリップを接続するスペースを空けるため、右奥部分に切り欠けを形成している。
【００２８】
また、図１１に示すように、筐体６に取り付けられる仕切板４には、スライドレール２と係合する円盤金具３、およびスライド片９と係合するガイド片としての円盤金具１３が設けられる。スライドレール２と係合する複数の円盤金具３は、上記実施の形態１と同様に、仕切板４の左右の各辺に対しそれぞれ複数個（この場合２個）設けられる。そして、仕切板４の奥側中央部でスライド片９を挟む位置に、スライド片と係合する２つの円盤金具１３が設けられる。円盤金具１３は円盤金具３と同じ金具部品で上段部１３ａおよび下段部１３ｂから成り、円盤金具３、１３は、仕切板４の上面にボルト５で取り付けられる。
この実施の形態では、仕切板４上に設けられた円盤金具３、１３にてレールガイドが構成されるものとし、このレールガイドと、スライドレール２およびスライド片９とでガイドレールが構成される。
【００２９】
機能ユニット１０を筐体６内に挿入するには、上記実施の形態１と同様に、機能ユニット１０を仕切板４上に乗せて奥側にスライドさせ、筐体６内の機能ユニット室に機能ユニット１０を挿入する。また、機能ユニット１０を筐体６から引き出すには、機能ユニット１０を仕切板４上で手前方向にスライドさせる。
図１２に示すように、機能ユニット１０がスライドされる際、スライドレール２の端部が、円盤金具３の上段部３ａの外周部と仕切板４とに挟まれた領域をスライドする。即ち、スライドレール２は、レールガイド（円盤金具３）と係合して、スライドレール２の左右方向および上下方向の振れが抑制される。そして、機能ユニット１０の挿入が完了する手前で、スライド片９がガイド片である２つの円盤金具１３の間を通過する。このとき、２つの円盤金具１３はスライド片の左右方向のストッパとなり、機能ユニット１０の左右方向の振れがさらに抑制される。
その後、図１３に示すように、スライド片９が左右の円盤金具１３に挟まれた状態で、機能ユニット１０の挿入が完了する。
【００３０】
この実施の形態では、スライドレール２と円盤金具３に加えて、スライド片９と円盤金具１３をさらに設けた為、機能ユニット１０を筐体６へさらに信頼性良く着脱および保持することができる。特に、機能ユニット１０の奥側はグリップを接続する為に位置精度の要求が高いものであるが、スライド片９および円盤金具１３を底面板８および仕切板４の奥側中央部に設けた為、上記位置精度の要求を満たすことができる。
またこの場合も、スライドレール２が機能ユニット１０の側面板の底部に設けられるため、筐体外で機能ユニット１０をスペーサを要すること無く水平に安定して載置でき、利便性が向上する。
【００３１】
また、この実施の形態ではスライド片９に係合するガイド片として円盤金具１３を用いた為、レールガイドを全て同じ金具（円盤金具３、１３）を用いて形成でき、安価で容易に形成できる。さらに、スライド片９は、底面板８の一部を切開して折り曲げ形成したため、安価で容易に形成できる。
【００３２】
なお、ガイド片は２段構成の必要は無く、円盤金具１３に限らず小型の金具を用いる事ができ、個数も左右等しい数であれば良い。
またスライド片９は、底面板８の裏面に他の部材を取り付けて形成するものでも良い。
【００３３】
また、この実施の形態においても上記実施の形態１と同様に、左右の側面板１の長さが等しい場合にも適用でき、その場合、底面板８も左右対称であり右奥部分の切り欠けは無い。また、図９で示したように、結合部２Ａ、２Ｂを設けて、左右の側面板１を結合させたものを用いても良い。
【００３４】
また上記実施の形態１、２は、配電盤に限らず、ガイドレールと筐体６と仕切板４と機能ユニット１０とを備え、機能ユニット１０が仕切板４上で筐体６内の前後にスライドされて筐体６内に着脱されるコントロールセンタに適用できる。
【００３５】
なお、この発明は、その発明の範囲内において、上述した各実施の形態を自由に組み合わせたり、各実施の形態を適宜、変更、省略したりすることが可能である。
【図１】
2018078739.tif 000003
【図２】
2018078739.tif 000004
【図３】
2018078739.tif 000005
【図４】
2018078739.tif 000006
【図５】
2018078739.tif 000007
【図６】
2018078739.tif 000008
【図７】
2018078739.tif 000009
【図８】
2018078739.tif 000010
【図９】
2018078739.tif 000011
【図１０】
2018078739.tif 000012
【図１１】
2018078739.tif 000013
【図１２】
2018078739.tif 000014
【図１３】
2018078739.tif 000015
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
筐体内を複数の機能ユニット室に仕切る仕切板の上面に取り付けられるレールガイドと、機能ユニットの側面板の底部に設けられ、該機能ユニットを上記仕切板上で上記筐体内の前後にスライドさせる為のスライドレールとを備え、
上記レールガイドは、上記仕切板の左右の各辺に対しそれぞれ複数個の釦状金具が上記仕切板の上面に取り付けられて成り、上記機能ユニットがスライドされる際に上記釦状金具が上記スライドレールと係合して該スライドレールの左右方向および上方向のストッパとなる、
ガイドレール。
【請求項２】
上記スライドレールは上記側面板の底部を曲げ加工して成るものである、
請求項１に記載のガイドレール。
【請求項３】
上記レールガイドの上記釦状金具は、下段部の径が上段部の径より小さい２段構成であり、該下段部の高さは上記スライドレールの厚みより大きく、上記下段部が上記スライドレールの左右方向のストッパとなり、上記上段部が上記スライドレールの上方向のストッパとなる、
請求項１または請求項２に記載のガイドレール。
【請求項４】
上記機能ユニットの底面板の奥側中央部の裏面に設けられ、長辺がスライド方向と平行である矩形のスライド片を備え、上記レールガイドは、上記仕切板の上面で上記スライド片を挟む位置にガイド片を備え、上記ガイド片は上記スライド片の左右方向のストッパとなる、
請求項１から請求項３のいずれか１項に記載のガイドレール。
【請求項５】
上記スライド片は、上記機能ユニットの上記底面板の一部を切開して折り曲げ形成したものであり、上記ガイド片は、上記釦状金具と同じ金具で構成される、
請求項４に記載のガイドレール。
【請求項６】
請求項１から請求項５のいずれか１項に記載のガイドレールと、上記筐体と、上記仕切板と、上記機能ユニットとを備え、上記機能ユニットが上記仕切板上で上記筐体内の前後にスライドされて上記筐体内の上記機能ユニット室に着脱される、
コントロールセンタ。
【手続補正２】
【補正対象書類名】明細書
【補正対象項目名】０００６
【補正方法】変更
【補正の内容】
【０００６】
この発明に係るガイドレールは、筐体内を複数の機能ユニット室に仕切る仕切板の上面に取り付けられるレールガイドと、機能ユニットの側面板の底部に設けられ、該機能ユニットを上記仕切板上で上記筐体内の前後にスライドさせる為のスライドレールとを備え、上記レールガイドは、上記仕切板の左右の各辺に対しそれぞれ複数個の釦状金具が上記仕切板の上面に取り付けられて成り、上記機能ユニットがスライドされる際に上記釦状金具が上記スライドレールと係合して該スライドレールの左右方向および上方向のストッパとなるものである。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
筐体内を複数の機能ユニット室に仕切る仕切板の上面に取り付けられるレールガイドと、機能ユニットの側面板の底部に設けられ、該機能ユニットを上記仕切板上で上記筐体内の前後にスライドさせる為のスライドレールとを備え、
上記レールガイドは、上記仕切板の左右の各辺に対しそれぞれ複数個の釦状金具を有して、上記機能ユニットがスライドされる際に上記釦状金具が上記スライドレールと係合して該スライドレールの左右方向および上方向のストッパとなり、
上記スライドレールは上記側面板の底部をＬ字型に曲げ加工して成るものであり、
上記レールガイドの上記釦状金具は、下段部の径が上段部の径より小さい２段構成であり、該下段部の高さは上記スライドレールの厚みより大きく、上記下段部が上記スライドレールの左右方向のストッパとなり、上記上段部が上記スライドレールの上方向のストッパとなる、
ガイドレール。
【請求項２】
筐体内を複数の機能ユニット室に仕切る仕切板の上面に取り付けられるレールガイドと、機能ユニットの側面板の底部に設けられ、該機能ユニットを上記仕切板上で上記筐体内の前後にスライドさせる為のスライドレールとを備え、
上記レールガイドは、上記仕切板の左右の各辺に対しそれぞれ複数個の釦状金具を有して、上記機能ユニットがスライドされる際に上記釦状金具が上記スライドレールと係合して該スライドレールの左右方向および上方向のストッパとなり、
上記機能ユニットの底面板の奥側中央部の裏面に設けられ、長辺がスライド方向と平行である矩形のスライド片を備え、上記レールガイドは、上記仕切板の上面で上記スライド片を挟む位置にガイド片を備え、上記ガイド片は上記スライド片の左右方向のストッパとなる、
ガイドレール。
【請求項３】
上記スライドレールは上記側面板の底部を曲げ加工して成るものである、
請求項２に記載のガイドレール。
【請求項４】
上記レールガイドの上記釦状金具は、下段部の径が上段部の径より小さい２段構成であり、該下段部の高さは上記スライドレールの厚みより大きく、上記下段部が上記スライドレールの左右方向のストッパとなり、上記上段部が上記スライドレールの上方向のストッパとなる、
請求項２または請求項３に記載のガイドレール。
【請求項５】
上記スライド片は、上記機能ユニットの上記底面板の一部を切開して折り曲げ形成したものであり、上記ガイド片は、上記釦状金具と同じ金具で構成される、
請求項２から請求項４のいずれか１項に記載のガイドレール。
【請求項６】
請求項１から請求項５のいずれか１項に記載のガイドレールと、上記筐体と、上記仕切板と、上記機能ユニットとを備え、上記機能ユニットが上記仕切板上で上記筐体内の前後にスライドされて上記筐体内の上記機能ユニット室に着脱される、
コントロールセンタ。
【手続補正２】
【補正対象書類名】明細書
【補正対象項目名】０００６
【補正方法】変更
【補正の内容】
【０００６】
この発明に係るガイドレールは、筐体内を複数の機能ユニット室に仕切る仕切板の上面に取り付けられるレールガイドと、機能ユニットの側面板の底部に設けられ、該機能ユニットを上記仕切板上で上記筐体内の前後にスライドさせる為のスライドレールとを備え、上記レールガイドは、上記仕切板の左右の各辺に対しそれぞれ複数個の釦状金具を有して、上記機能ユニットがスライドされる際に上記釦状金具が上記スライドレールと係合して該スライドレールの左右方向および上方向のストッパとなり、上記スライドレールは上記側面板の底部をＬ字型に曲げ加工して成るものであり、上記レールガイドの上記釦状金具は、下段部の径が上段部の径より小さい２段構成であり、該下段部の高さは上記スライドレールの厚みより大きく、上記下段部が上記スライドレールの左右方向のストッパとなり、上記上段部が上記スライドレールの上方向のストッパとなるものである。
またこの発明に係るガイドレールは、筐体内を複数の機能ユニット室に仕切る仕切板の上面に取り付けられるレールガイドと、機能ユニットの側面板の底部に設けられ、該機能ユニットを上記仕切板上で上記筐体内の前後にスライドさせる為のスライドレールとを備え、上記レールガイドは、上記仕切板の左右の各辺に対しそれぞれ複数個の釦状金具を有して、上記機能ユニットがスライドされる際に上記釦状金具が上記スライドレールと係合して該スライドレールの左右方向および上方向のストッパとなり、上記機能ユニットの底面板の奥側中央部の裏面に設けられ、長辺がスライド方向と平行である矩形のスライド片を備え、上記レールガイドは、上記仕切板の上面で上記スライド片を挟む位置にガイド片を備え、上記ガイド片は上記スライド片の左右方向のストッパとなるものである。
【国際調査報告】
2018078739.tif 000016
2018078739.tif 000017
2018078739.tif 000018